(57)【要約】【課題】  ローバックソファの場合、背中を背凭れに十分に凭せ掛けることができず、座り心地が芳しくない。【解決手段】  座と背凭れを有するソファであって、前記背凭れは、背丈の高い面と低い面とを備え、背凭れはそれを支持する軸と共に又は軸とは別に回動して、不使用時には背丈の低い面がソファの前方側を、使用時には背丈の高い面がソファの上方側又は斜め上方側を向くように回転させることができるものである。前記ソファにおいて、背凭れを一又は二以上とし、各背凭れは一本の軸又は別々の軸に、個別に又は一緒に回動するように取付けられたものとした。また、背凭れにそれを所定の向きで停止させるストッパー機構が連繋され、ストッパー機構は二以上の停止部が設けられた固定具と、固定具の外周を回動して固定具の停止部に係止される回動具と、回動具を固定具の停止部に圧接させて停止部への回動具の係止をロックするロックバネを備えたものとした。【選択図】図１
2007044147.tif 000002
【特許請求の範囲】
【請求項１】
座と背凭れを有するソファにおいて、前記背凭れは背丈の高い面と低い面とを備え、背凭れはそれを支持する軸と共に又は軸とは別に回動して、不使用時には背丈の低い面がソファの前方側を、使用時には背丈の高い面がソファの上方側又は斜め上方側を向くように回転させることができることを特徴とするソファ。
【請求項２】
請求項１記載のソファにおいて、背凭れが一又は二以上設けられ、二以上の背凭れは一本の軸又は別々の軸に、個別に又は一緒に回動するように取付けられたことを特徴とするソファ。
【請求項３】
請求項１又は請求項２記載のソファにおいて、背凭れにそれを所定の向きで停止させるストッパー機構が連繋され、ストッパー機構は二以上の停止部が設けられた固定具と、固定具の外周を回動して固定具の停止部に係止される回動具と、回動具を固定具の停止部に圧接させて停止部への回動具の係止をロックするロックバネを備えることを特徴とするソファ。
【発明の詳細な説明】
【技術分野】
【０００１】
本発明は一人掛け又は二人掛け以上のソファに関するものである。
【背景技術】
【０００２】
ソファには各種デザインのものがある。近年、背凭れの高さが高いソファ（ハイバックソファ）に代わって、背凭れの高さが低いソファ（ローバックソファ）が人気を集めている。
【発明の開示】
【発明が解決しようとする課題】
【０００３】
ローバックソファの場合、背凭れの背丈が低いため、背中を背凭れに十分に凭せ掛けることができず、座り心地が芳しくないという課題があった。
【課題を解決するための手段】
【０００４】
本発明のソファは、不使用時には背凭れの背丈を低くして人気のあるローバックソファとし、使用時には背凭れの背丈を高くして座り心地の良いハイバックソファとして切替使用ができるようにしたものである。
【０００５】
本発明の請求項１記載のソファは、座と背凭れを有するソファであって、前記背凭れは、背丈の高い面と低い面とを備え、背凭れはそれを支持する軸と共に又は軸とは別に回動して、不使用時には背丈の低い面がソファの前方側を、使用時には背丈の高い面がソファの上方側又は斜め上方側を向くように回転させることができるものである。
【０００６】
本発明の請求項２記載のソファは、前記ソファにおいて、背凭れが一又は二以上設けられ、二以上の背凭れは一本の軸又は別々の軸に、個別に又は一緒に回動するように取付けられたものである。
【０００７】
本発明の請求項３記載のソファは、前記ソファにおいて、背凭れにそれを所定の向きで停止させるストッパー機構が連繋され、ストッパー機構は二以上の停止部が設けられた固定具と、固定具の外周を回動して固定具の停止部に係止される回動具と、回動具を固定具の停止部に圧接させて停止部への回動具の係止をロックするロックバネを備えるものとしたものである。
【発明の効果】
【０００８】
本件出願の請求項１記載のソファは、背凭れは、背丈の高い面と低い面とを備え、背凭れはそれを支持する軸と共に又は軸とは別に回動するようにしたので、次のような効果がある。
（１）使用時には、背凭れの背丈の高い面がソファの正面又は斜め上方を向くようにして、背凭れの高さを高くして背中を背凭れに凭せ掛けることができ、座り心地の良いハイバックソファとして利用することができる。
（２）不使用時には、背凭れの背丈の低い面がソファの正面を向くようにして、背凭れの高さを低くしておくことができ、体裁の良いローバックソファとして利用することができる。
（３）また、背凭れの背丈の低い面をソファの正面を向くようにすれば、背丈の高い面はソファの上面を向き、座の奥行きが浅くなる。そのため、背凭れを低くした場合であっても、ソファに浅く腰掛けることができ、腰掛け易くなる。
【０００９】
本件出願の請求項２記載のソファは、背凭れを一又は二以上設け、二以上の背凭れは一本の軸又は別々の軸に、個別に又は一緒に回動するように取付けられているので、上記各効果に加えて、次のような効果がある。
（１）二以上の背凭れを個別に回動させられるようにした場合、各座席の背凭れの高さを任意に選択することができ、座る人の所望の高さとすることができる。
（２）二以上の背凭れを一緒に回動させられるようにした場合、各座席の背凭れの高さを一度に変えることができ、背凭れの高さを短時間で切替えることができる。
【００１０】
本件出願の請求項３記載のソファは、背凭れにそれを所定の向きで停止させるストッパー機構が連繋され、ストッパー機構は二以上の停止部が設けられた固定具と、固定具の外周を回動して固定具の停止部に係止される回動具と、回動具を固定具の停止部に圧接させて停止部への回動具の係止をロックするロックバネを備えるものとしたので、上記各効果に加えて、次のような効果がある。
（１）ストッパー機構によって、背凭れを所定の向きで停止させることができるため、背凭れに凭れ掛かっても背凭れが回動するおそれがなくなり、より使い易くなる。また座り心地も良い。
（２）固定具の停止部に回動具を係止することによって、回動する背凭れを係止させるため、固定具に設ける停止部の位置や数を調節することによって、背凭れの係止角度や係止位置数を調節することができる。
【発明を実施するための最良の形態】
【００１１】
（実施形態１）
本発明のソファの実施形態の一例を、図１〜図８に基づいて詳細に説明する。本実施形態のソファ１は、図１に示すように、二人がけ用のソファであって、左右両側の袖２の間に、二席分の幅に形成された座３と、二席分の背凭れ４を設けてなるものである。座３の上には、クッション５が二席分備えられている。また、図１、図２に示すように、一本の軸６が前記二席分の背凭れ４を貫通して左右の袖２間に設けられ、背凭れ４が回動できるようにしてある。また、前記軸６には、各背凭れ４の両端部付近にストッパー機構７が設けられており、背凭れ４を所定の向きで停止させられるようにしてある。本実施形態のソファ１は、二人がけ用であって、図に示すように、座３及び背凭れ４が二席分設けられているが、ソファ１は二人がけ用には限られず、一人がけ用や三人がけ以上のものであってもよい。その場合は、座３及び背凭れ４をその数に応じて設ける。
【００１２】
前記座３は、図１に示すように、左右両側の袖２の間に設けられた、腰掛部分である。本実施形態の座３は、同図に示すように、二座席分の幅に形成されている。座３は、板材や角材等を組合せて、幅方向を長くした方形に形成されており、その外面には、ウレタン等のクッション材を配置し、布や皮革や樹脂等のカバー材を掛けて覆われている。座３の上には、図に示すように、クッション５が二枚密に配置されており、二人分の座席を形成している。前記クッション５は、ウレタン等のクッション材の周囲を布や皮革や樹脂等のカバー材で覆って形成されたものである。クッション５は、内部にスプリングを備えるもの等、任意のものとすることができる。また、クッション５は、図２に示すように、奥行きが座３より広いものであってもよい。図１に示す二枚のクッション５は、座３の上に互いに密に備えられているが、クッション５の数や配置はこれには限られず、二座席分の幅に形成された一枚の大きなクッション５を座３の上に備えたりする等、任意の数や配置とすることができる。
【００１３】
前記袖２は、図３に示すように、前記座３の両側方に設けられたソファの側面部材である。袖２の上面部は、使用者が腰を下ろした際に腕を乗せることができるアームレストともなる。袖２は、図３〜図５に示すように、袖フレーム１０の外周面にウレタン等のクッション材（図示しない）を配置し、布や皮革や樹脂等のカバー材１１によって覆って形成されているものである。袖２の下部には、脚１２が前後に一本ずつ設けられている。前記袖フレーム１０は、板状の部材を組み合わせて形成した囲い状の袖枠１３と、その袖枠１３の側面開口部に設けられた内側板１４及び外側板１５とからなる。袖枠１３、内側板１４、外側板１５は、木製、金属製、樹脂製等、任意の材質製とすることができる。内側板１４には、図３に示すように、前記軸６を取り付けるための軸取付け孔１６が開口され、軸６に取り付けられた軸固定具２４をボルト１７で固定するためのナット１８が埋め込まれている。また、図３に示すように、内側板１４と前記座３の側面部をボルト１７とナット１８で固定して、左右の袖２の間に座３が固定されている。本実施形態の袖２の下部には脚１２が備えられているが、脚１２を省略して、袖２の下部を直接接地させることもできる。
【００１４】
前記背凭れ４は、図１に示すように、左右両側の袖２の間に設けられた、ソファの背凭れ部分である。本実施形態の背凭れ４は、同図に示すように、左右の袖２の間に固定された軸６に貫通されて二座席分設けられている。背凭れ４は、図７、図８に示すように、背凭れフレーム１９の外周面にウレタン等のクッション材５５を配置し、布や皮革や樹脂等のカバー材２０によって覆って形成されているものである。本発明の二座席分の背凭れ４は、図２に示すように、軸６を回転軸にして、夫々個別に回動させることができるようにしてある。また、前記軸６には、軸６に固定された固定具８と、軸６を回転軸として軸６の外周を回動する回動ユニット９とを備えるストッパー機構７が設けられており、回動する背凭れ４を所定の向きで停止させることができるようにしてある。
【００１５】
前記軸６は、図４、図５に示すような一本の丸パイプ部材であって、本発明のソファの背凭れ４の回転軸となるものである。軸６は、図３に示すように、左右の袖２の間に取り付けられる長さに形成されている。軸６の両端部は、図４、図５に示すように、蓋２１によって閉塞されている。蓋２１にはボルト孔２２が開口され、ボルト２３を螺入できるようにしてある。また、軸６の両端部付近には、図３に示すように、軸固定具２４が固定されている。軸固定具２４は、板状の部材であって、軸６を挿通させるための軸挿通孔２５と、ボルト１７によって軸固定具２４を前記左右の袖２の内側板１４に固定するためのボルト孔２６とが開口されている。軸固定具２４の軸挿通孔２５には軸６が挿通され、溶接等によって固定されている。軸６は、図３〜図５に示すように、前記左右の袖２の内側板１４に開口された軸取付け孔１６に両端部を挿し込み、ボルト２３を蓋２１のボルト孔２２に螺入させ、内側板１４の裏側からワッシャ２７とナット２８によって固定され、さらに、軸固定具２４のボルト孔２６にボルト１７を螺入し、内側板１４に埋め込まれたナット１８と螺合させて、袖２の内側板１４に、回動しないように固定されている。
【００１６】
前記ストッパー機構７は、図１、図３に示すように、軸６の背凭れ４の端部付近に位置するように備えられている。本実施形態では、ストッパー機構７は、図１に示すように軸６の四箇所に備えられている。ストッパー機構７は、図４〜図６に示すように、軸６に固定された固定具８と、軸６を回転軸として軸６の外周を回動する回動ユニット９とを備えてなる機構である。
【００１７】
前記固定具８は、図６に示すような板状の部材である。固定具８には、軸６を挿通させるための軸挿通孔３０が開口されている。また、固定具８の外周面には、停止部が、ソファ１の上面側（３１ａ）と前面側（３１ｂ）の二箇所に設けられている。固定具８は、図６に示すように、軸６を軸挿通孔３０に挿通させて、溶接等によって軸６に固定されている。固定具８は、図４、図５に示すように、回動ユニット９より背凭れ４の幅方向両端側に位置するように軸６に固定されている。
【００１８】
前記回動ユニット９は、図３に示すように、固定具８の隣に配置されて軸６に備えられている。回動ユニット９は、固定具８より背凭れ４の幅方向内側に位置するように備えられている。回動ユニット９は、図６に示すように、軸受３２と、受け台３３と、カバー３４とを備えてなるものである。前記受け台３３には揺動具３５と、回動具３６と、ロックバネ３７とが備えられている。
【００１９】
前記軸受３２は、図６に示すように、軸６を回動自在に挿通できる内径の円筒型の部材である。軸受３２は、軸６の外周に備えられ、回動可能としてある。前記受け台３３は、図６に示すような樋状の部材であって、上部には前記軸受３２を設置するための凹部３８が形成され、側部には前記揺動具３５を取り付けるための揺動具取付け孔３９が開口されている。また、図７に示すように、底面部には、前記背凭れフレーム１９を取り付けるビス孔４０が開口されている。前記軸受３２と受け台３３とは、受け台３３の凹部３８に軸受３２を嵌め込んで、溶接して固定されている。
【００２０】
前記カバー３４は、図６に示すようなコ字型の板状部材であって、上面部には、背凭れフレーム１９を取り付けるビス孔４１が開口されている。また、カバー３４の内面部には、前記ロックバネ３７を取り付けるためのバネ係止ピン４２が取り付けられている。前記受け台３３とカバー３４とは、樋状の受け台３３にカバー３４の両端部を差し込んで、溶接して固定されている。従って、軸受３２の回動に伴って、受け具３３及びカバー３４も回動し、回動ユニット９全体が軸６を中心に回動できるようにしてある。
【００２１】
前記揺動具３５は、図６に示すように、二本の細長板状のアーム４３を、所定の間隔を開けて、バネ係止ピン４４とローラー係止ピン４５によって連結した部材である。この揺動具３５は、二本のアーム４３の下端部を前記受け台３３に揺動可能に取り付けて、受け台３３に備えられている。同図に示すように、バネ係止ピン４４は、二本のアーム４３の上端部に取り付けられて、ローラー係止ピン４５は、二本のアーム４３の中央部に取り付けられて、二本のアーム４３を夫々連結している。二本のアーム４３の下端部には、前記受け台３３に取り付けるための孔４６が開口されている。二本のアーム４３の間隔は、図４、図５に示すように、前記受け台３３の外面に取り付けられる間隔としてある。バネ係止ピン４４の一端は、アーム４３の一側方に突出させて備えられている。また、ローラー係止ピン４５は、一端を、バネ係止ピン４４とは反対側の側方に突出させて備えられている。この揺動具３５は、図６に示すように、二本のアーム４３間に受け台３３を配置し、アーム４３下端の孔４６と受け台３３の揺動具取り付け穴３９とにピン４７を差し込んで係止させて、ピン４７を中心にして揺動できるように受け台３３に取り付けられている。
【００２２】
前記回動具３６は、図４〜図６に示すように、前記ローラー係止ピン４５に取り付けられたローラーであって、ローラー係止ピン４５を回転軸として回動自在に備えられたものである。回動具３６は、図４、図５に示すように、前記固定具８の外周に接触させて備えられ、固定具８の外周に沿って回動しながら移動できるように備えられている。また、回動具３６は、固定具８の停止部３１ａ、３１ｂにおいて係止されるようにしてある。本実施形態では、停止部３１ａ、３１ｂに係止された回動具３６は、停止部３１ａ、３１ｂより先には移動しないようにしてある。
【００２３】
前記ロックバネ３７は、図４〜図６に示すように、前記カバー３４のバネ係止ピン４２と、前記揺動具３５のバネ係止ピン４４とに両端を係止して備えられたバネである。ロックバネ３７には引きバネが用いられている。本実施形態では図に示すように、ロックバネ３７によって揺動具３５が軸受３２側に引かれるようにしてある。従って、揺動具３５に備えられた前記回動具３６は、ロックバネ３７の引きによって常時固定具８に圧接されるようにしてあり、停止部３１ａ、３１ｂに係止されると、その係止がロックされるようにしてある。
【００２４】
前記背凭れフレーム１９は、図３、図７、図８に示すように、前記回動ユニット９の受け台３３及びカバー３４に固定されて、前記軸６に回動自在に備えられた背凭れ４のフレーム部材である。背凭れフレーム１９は、図３に示すように、前面板５０と、上面板５１と、底面板５２、背面板５３と、側面板５４ａ、５４ｂとを組合せて、前面開口の箱状に形成されている。前記前面板５０、上面板５１、底面板５２、背面板５３、側面板５４ａ、５４ｂは、木製、金属製、樹脂製等、任意の材質製とすることができる。
【００２５】
前面板５０は、図３に示すように、長方形の板材であって、背凭れ一つにつき二枚備えられている。前面板５０は、図７、図８に示すように、前記回動ユニット９のカバー３４にビスによって固定されている。前面板５０は、図７、図８に示すように、背凭れ４の背丈の高い面４ａをソファ１の正面にすると前面に位置する。
【００２６】
上面板５１及び底面板５２は、図３に示すように、前面部分が切り欠かれた形状の細長の板材であって、背凭れ一つにつき一枚ずつ備えられている。図に示すように、上面板５１と底面板５２とは同じ形状に形成されている。上面板５１及び底面板５２は、図７、図８に示すように、背凭れ４の背丈の高い面４ａをソファ１の正面にすると上面及び底面に位置する。
【００２７】
背面板５３は、図３に示すように、一枚の板材であって、背凭れ一つにつき一枚備えられている。背面板５３は、図７、図８に示すように、前記回動ユニット９の受け台３３にビスによって固定されている。背面板５３は、図７、図８に示すように、背凭れ４の背丈の高い面をソファ１の正面にすると背面に位置する。また、背面板５３は、前面板５０より奥行きが短く形成され、背凭れ４の背丈の高い面４ａをソファ１の正面にすると、背面側の高さが前面側より低くなるようにしてある。
【００２８】
側面板５４ａ、５４ｂは、図３に示すように、二枚の板材を組合せて形成されており、背凭れ４の左右両側面に備えられている。側面板５４ａ、５４ｂは、図に示すように、軸６が位置する部分が切り欠かれている。
【００２９】
前記前面板５０及び背面板５３が、回動ユニット９のカバー３４及び受け台３３にビスで固定されて、背凭れフレーム１９が回動ユニット９に固定されているため、背凭れ４の回動に伴って、回動ユニット９を回動させることができる。
【００３０】
本発明のソファ１の背凭れ４は、図７、図８に示すように、前記背凭れフレーム１９の外周面にウレタン等のクッション材５５を配置し、布や皮革や樹脂等のカバー材２０によって覆って形成される。背凭れ４には、図２、図７、図８に示すように、背丈の高い面４ａと背丈の低い面４ｂが形成されている。
【００３１】
本発明のソファ１が、図４、図５、図７に示すように、背凭れ４の背丈の低い面４ｂを正面に向けている状態（背凭れ角度０度）において、背凭れ４のソファ１前面側を持ち上げて上方へ回動させると（図２矢印参照。）、背凭れ４の回動に伴って回動ユニット９が軸６を回転軸として軸６の外周を上方へ回動する。それに伴って、回動ユニット９の揺動具３５に設けられた回動具３６が、固定具８の外周に沿って回動しながら上方へ移動する。回動具３６が固定具８のソファ背面側の停止部３１ａに係止されると、ロックバネ３７によって係止がロックされる（図８参照。）。このとき、図１、図２、図８に示すように、背凭れ４は、１１５度程度の角度に持ち上げられて、背凭れ４の背丈の高い面４ａが正面からやや斜め上方を向いて係止される。この状態のソファ１は、背凭れ４の背丈が高く、ハイバックソファとして使用することができる。この場合、使用者は、ソファ１に深く腰掛けて、背凭れ４に背中を凭せ掛けることができる。
【００３２】
本発明のソファ１が、図８に示すように、背凭れの背丈の高い面４ａを正面からやや斜め上方に向けている状態（背凭れ角度１１５度程度）において、背凭れ４のソファ１上面側を引き降ろして下方へ回動させると、背凭れ４の回動に伴って回動ユニット９が軸６を回転軸として軸６の外周を下方へ回動する。それに伴って、回動ユニット９の揺動具３５に設けられた回動具３６が、固定具８の外周に沿って回動しながら下方へ移動する。回動具３６が固定具８のソファ前面側の停止部３１ｂに係止されると、ロックバネ３７によって係止がロックされる（図７参照。）。このとき、図４、図５、図７に示すように、背凭れ４は、０度の角度に戻されて、背凭れの背丈の低い面４ｂが正面を向いて係止される。この状態のソファ１は、背凭れ４の背丈が低く、ローバックソファとして使用することができる。この場合、使用者は、ソファ１に浅く腰掛けて、背凭れ４には腰だけを凭せ掛けることができる。
【００３３】
（実施形態２）
本発明のソファの実施形態の他の例について説明する。前記実施形態１では、軸６を、背凭れ４を貫通させて左右の袖２の間に固定して、背凭れ４を回動可能としたが、軸６と背凭れ４を固定して、背凭れ４が軸６の外周を回動しないようにし、軸６を左右の袖２の間に回動可能に備えて、軸６を回動させ、軸６の回動に伴って背凭れ４が回動するようにすることもできる。その場合、背凭れが二座席分以上あるときには、二座席分以上の背凭れを同期回動させることができる。
【００３４】
（実施形態３）
本発明のソファの実施形態のその他の例について説明する。前記各実施形態では、二つある座３及び背凭れ４の間に仕切りは設けられなかったが、座３及び背凭れ４が複数ある場合、各座３及び背凭れ４の間に仕切りを設けることもできる。このとき、軸６は、仕切りを貫通させて左右の袖間に固定する一本の軸を用いることも、各仕切り間ごとに固定される複数本の軸を用いることもできる。
【００３５】
（実施形態４）
本発明のソファの実施形態のその他の例について説明する。前記各実施形態では、軸６は背凭れ４を貫通させて備えられていたが、軸６は背凭れ４を貫通させて備える場合には限られず、背凭れ４の側面に突出させて、背凭れ４の外側部分だけに備えることもできる。この場合も、軸を左右の袖の間に固定して、背凭れを回動可能とすることも、軸を背凭れに固定して、軸の回動に伴って背凭れが回動するようにすることもできる。そのとき、軸を左右の袖の間に固定して、背凭れを回動可能とする場合であって、背凭れが二以上ある場合には、各背凭れ及び座の間に仕切りを設けて、各背凭れの軸を固定させることが望ましい。
【００３６】
（その他の実施形態）
前記各実施形態では、背凭れの背丈の高い面４ａを正面からやや斜め上に向けた状態の背凭れ角度を１１５度程度とし、背凭れの背丈の低い面４ｂを正面に向けた状態の背凭れ角度を０度としていたが、背凭れ４の係止角度はこれには限られず、固定具８の外周面の停止部３１の形成位置を調節して、任意の角度とすることができる。このとき、背凭れの背丈の低い面を正面に向けた状態の背凭れ角度は０度前後、背凭れの背丈の高い面を正面からやや斜め上に向けた状態の背凭れ角度は９０度〜１３０度程度とすることが望ましい。また、固定具に設けられる停止部も二箇所には限られず、三箇所以上形成して、背凭れの係止位置を三箇所以上とすることもできる。
【００３７】
また、本発明のソファにおいては、袖２を省略して、軸６をソファの座３等、他の部分に固定させて、袖なしの背凭れ回動型ソファとすることもできる。
【００３８】
本発明のソファは、前記実施形態に記載した構成のものには限られず、背凭れを回動させて、所定の角度で係止させられるものであれば、任意の構成とすることができ、座、背凭れ、軸、ストッパー機構等の各部材も、図１〜図８に示すものには限定されず、任意の構成のものとすることができる。
【産業上の利用可能性】
【００３９】
本発明の背凭れ回動型のソファは、ソファのみには限られず、ダイニングチェアー、カウンタースツール、長椅子等、背凭れを有する各種椅子において、背凭れを回動させて、所定の角度で係止させられる背凭れ回動型椅子として応用することもできる。
【図面の簡単な説明】
【００４０】
【図１】本発明のソファの実施形態の一例を示す正面図。
【図２】図１に示す本発明のソファの右側面図。
【図３】図１に示す本発明のソファの一部を省略した分解斜視図。
【図４】図１に示す本発明のソファの背凭れ内部の様子を示す正面説明図。
【図５】図１に示す本発明のソファの背凭れ内部の様子を示す平面説明図。
【図６】図１に示す本発明のソファの回動ユニットの分解斜視図。
【図７】図１に示す本発明のソファの背凭れを、背丈の低い面をソファの正面側に向けた状態における回動ユニットの様子を示す側面断面図。
【図８】図１に示す本発明のソファの背凭れを、背丈の高い面をソファの正面側に向けた状態における回動ユニットの様子を示す側面断面図。
【符号の説明】
【００４１】
１  ソファ
２  袖
３  座
４  背凭れ
４ａ  背凭れの背丈の高い面
４ｂ  背凭れの背丈の低い面
５  クッション
６  軸
７  ストッパー機構
８  固定具
９  回動ユニット
３１ａ、３１ｂ  停止部
３６  回動具
３７  ロックバネ
【図１】
2007044147.tif 000003
【図２】
2007044147.tif 000004
【図３】
2007044147.tif 000005
【図４】
2007044147.tif 000006
【図５】
2007044147.tif 000007
【図６】
2007044147.tif 000008
【図７】
2007044147.tif 000009
【図８】
2007044147.tif 000010